(57)【特許請求の範囲】
【請求項１】
店舗又は他のビジネス事業所からの販売物品の許可のない持ち去りを検出するために用いるデバイスであって、
販売物品にタグを固着するために用いることができるタイプのファスナーを備え、
上記ファスナーは、第１の端部と、第２の端部と、フィラメントと、を有する細長い一体成形部材を備え、上記フィラメントは第１の端部と第２の端部とを相互連結し、上記第１の端部はクロスバーを規定するように形状化されており、上記第２の端部は上記フィラメントが販売物品から完全に引き抜かれないような寸法及び形状であり、上記ファスナーはプラスチック製であって該ファスナー内に配設されている活性化デバイスを含み、上記活性化デバイスは、ＲＦ再活性化可能マーカーを備え且つ盗難検出システムの一部として用いられる、
ことを特徴とするデバイス。
【請求項２】
店舗又は他のビジネス事業所からの販売物品の許可のない持ち去りを検出するために用いるデバイスであって、
販売物品にタグを固着するために用いることができるタイプのファスナーを備え、
上記ファスナーは、第１の端部と、第２の端部と、フィラメントと、を有する細長い一体成形部材を備え、上記フィラメントは第１の端部と第２の端部とを相互連結し、上記第１の端部はクロスバーを規定するように形状化されており、上記第２の端部は上記フィラメントが販売物品から完全に引き抜かれないような寸法及び形状であり、上記ファスナーはプラスチック製であって該ファスナー内に配設されている活性化デバイスを含み、上記活性化デバイスは、磁石を備え且つ盗難検出システムの一部として用いられる、
ことを特徴とするデバイス。
【請求項３】
店舗又は他のビジネス事業所からの販売物品の許可のない持ち去りを検出するために用いるデバイスであって、
販売物品にタグを固着するために用いることができるタイプのファスナーを備え、
上記ファスナーは、第１の端部と、第２の端部と、フィラメントと、を有する細長い一体成形部材を備え、上記フィラメントは第１の端部と第２の端部とを相互連結し、上記第１の端部はクロスバーを規定するように形状化されており、上記第２の端部は上記フィラメントが販売物品から完全に引き抜かれないような寸法及び形状であり、上記ファスナーはプラスチック製であって該ファスナー内に配設されている活性化デバイスを含み、上記活性化デバイスは、磁化可能な材料の一対の細長いストリップを備え且つ盗難検出システムの一部として用いられる、
ことを特徴とするデバイス。
【請求項４】
店舗又は他のビジネス事業所からの販売物品の許可のない持ち去りを検出するために用いるデバイスであって、
販売物品にタグを固着するために用いることができるタイプのファスナーを備え、
上記ファスナーは、第１の端部と、第２の端部と、フィラメントと、を有する細長い一体成形部材を備え、上記フィラメントは第１の端部と第２の端部とを相互連結し、上記第１の端部はクロスバーを規定するように形状化されており、上記第２の端部は上記フィラメントが販売物品から完全に引き抜かれないような寸法及び形状であり、上記ファスナーはプラスチック製であって該ファスナー内に配設されている活性化デバイスを含み、上記活性化デバイスは、小型の電気回路を備え且つ盗難検出システムの一部として用いられる、
ことを特徴とするデバイス。
【請求項５】
店舗又は他のビジネス事業所からの販売物品の許可のない持ち去りを検出するために用いるデバイスであって、
販売物品にタグを固着するために用いることができるタイプのファスナーを備え、
上記ファスナーは、第１の端部と、第２の端部と、フィラメントと、を有する細長い一体成形部材を備え、上記フィラメントは第１の端部と第２の端部とを相互連結し、上記第１の端部はクロスバーを規定するように形状化されており、上記第２の端部は上記フィラメントが販売物品から完全に引き抜かれないような寸法及び形状であり、上記ファスナーはプラスチック製であって該ファスナー内に配設されている活性化デバイスを含み、上記活性化デバイスは、該活性化デバイスの全体が前記クロスバー内に配設されており且つ盗難検出システムの一部として用いられる、
ことを特徴とするデバイス。
【請求項６】
請求項１乃至４のいずれか一項に記載のデバイスであって、前記活性化デバイスは、前記クロスバー内に配設されていることを特徴とするデバイス。
【請求項７】
請求項１乃至４のいずれか一項に記載のデバイスであって、前記活性化デバイスは、前記フィラメント内に配設されていることを特徴とするデバイス。
【請求項８】
請求項１乃至４のいずれか一項に記載のデバイスであって、前記活性化デバイスは、前記第２の端部内に配設されていることを特徴とするデバイス。
【請求項９】
請求項８のデバイスであって、前記第２の端部はパドルの形状であることを特徴とするデバイス。
【請求項１０】
店舗又は他のビジネス事業所からの販売物品の許可のない持ち去りを検出するために用いるデバイスであって、
販売物品にタグを固着するために用いることができるタイプのファスナーを備え、
上記ファスナーは、第１の端部と、第２の端部と、フィラメントと、を有する細長い一体成形部材を備え、上記フィラメントは第１の端部と第２の端部とを相互連結し、上記第１の端部はクロスバーを規定するように形状化されており、上記第２の端部は上記フィラメントが販売物品から完全に引き抜かれないような寸法及び形状であり、上記ファスナーはプラスチック製であって該ファスナー内に配設されている活性化デバイスを含み、上記活性化デバイスは盗難検出システムの一部として用いられ、
前記第２の端部はパドルの形状であり、前記活性化デバイスは、該活性化デバイスの全体が、前記パドル内に配設されている、
ことを特徴とするデバイス。
【発明の詳細な説明】
発明の背景
本発明は、店舗又は他のビジネス事業所からの販売物品の無許可の取り外しを検出するために用いる装置に関する。
例えば衣料品などの販売物品に取引タグを取りつけるために用いられるプラスチック製ファスナーは、小売業において公知であり、広範に用いられている。典型的には、かようなファスナーは、クロスバー（一般的に「Ｔバー」と呼ばれる）を規定するために形状化されている第１の端部と、第２の端部と、上記クロスバー及び上記第２の端部を相互連結する薄いフィラメント部と、を有する細長い部材を備える。使用に際して、クロスバーは、はじめにタグに挿入され、次いで、所望の織物ピースに挿入される。第２の端部は、タグがフィラメント部から引き抜かれないように維持する寸法及び形状である。
典型的には、かようなファスナーは、ファスナーストックとして知られている２種の異なる形態のいずれか一方にて成形加工工程により大量生産される。本願に参照として組み込まれている米国特許第３，１０３，６６６号明細書に開示されているファスナーストックの一例は、直交して配設されているランナーバーにより各クロスバーにて一緒に結合されている複数のファスナーを備える。本願に参照として組み込まれている米国特許第４，９５５，４７５号明細書に開示されている別のタイプのファスナーストックは、端部と端部とが整合するように配設されていて、連続するファスナーの端部が連続的に連結されたファスナーストックを形成するように、切断可能なコネクタにより一緒に結合されている複数のファスナーを備える。
所望の販売物品にファスナーストックから個々のファスナーを施すことは、典型的には、一般的に「タグガン」と呼ばれる装置を用いてなされる。タグガンの例は、本願に参照として組み込まれている米国特許第５，３２０，２６９号、第５，０２４，３６５号、第４，１２１，４８７号及び第４，４５６，１６１号明細書に示されている。典型的には、タグガンは、（ａ）長さ方向に横断して延在する長手方向スロットを有する中空ニードルと、（ｂ）ファスナーストックの残りから個々のクロスバーを分離する手段と、（ｃ）中空のスロット付ニードル及び所望の販売物品を介してクロスバーを供給する手段と、を含む。もしあれば、隣接するファスナーの端部間のコネクタは、１個のファスナーのクロスバーが挿入された後、販売物品からタグガンを引き離すことにより切断される。
上述のタイプのプラスチックファスナーは、販売物品への取引タグの取り付けを良好に行うけれども、時々、不道徳な需要者が低価格品又は高価格品のいずれか一方からのプラスチックファスナーを用いて所望の高価格品用の価格タグで低価格品用の価格タグをスイッチする「チケットスイッチング」に従事することが知られている。たとえば、本願に参照として組み込まれている米国特許第５，３２１，８７２号明細書には、いたずら防止プラスチックファスナーが開示されている。
プラスチックファスナーの使用に関することではないけれども、小売商を悩ませる別の一般的な問題は、これらの商品の盗難である。多数の小売商に適する一つのアプローチは、販売物品に盗難検出デバイスを取りつけることである。典型的には非常に大きくて目に付きやすいかようなデバイスは、磁石、磁化可能な材料の一対の細長いストリップ、小型の電気回路、無線周波数トランスミッタ／レシーバなどの物品に取り外し可能に取りつけられ得る活性化デバイスを含む。活性化デバイスは、ある態様にて不活性化されないまま物品が検出器を通過すると、可聴信号すなわちアラームを発するように構成されている。典型的には、検出器は店舗の出口に配置されていて、物品の購入後、物品が検出器を通過する前に、許可された人がデバイスを不活性化又は取り外すことができるようになされている。
盗難検出デバイスの一例として、無線周波数電気物品監視システムを用いるマーカーが、Monteanの米国特許第４，７４５，４０１号明細書に開示されている。ここで、マーカーは、誘電静電容量共振回路を含み、永久的に磁化可能な材料のピースなどの磁気材料のピース及び誘導された交流場の材料の磁気状態が変化することを防止して、検出ポイント下の共振回路のＱの低下を引き起こすヒステリシスロスを防止するために第１の材料にバイアスをかける手段を加えることによって、不活性化及び再活性化が可逆的になされる。
発明の概要
本発明の目的は、店舗又は他のビジネス事業所からの販売物品の無許可の取り外しを検出するために用いるデバイスを提供することにある。
したがって、販売物品にタグを取りつけるために用い得るファスナーが提供される。ファスナーは、第１の端部と、第２の端部と、フィラメントとを有する細長い一体成形部材を備える。フィラメントは、第１の端部と第２の端部とを相互連結する。第１の端部は、販売物品が挿入され得るクロスバーを規定するように形状化されている。第２の端部は、フィラメントが販売物品から完全に引き抜かれることを防止する寸法及び形状である。フィラメントは、プラスチック製であり、フィラメントに配設されている活性化デバイスを含む。活性化デバイスは、盗難検出システムの一部として用いられる。
本発明の追加の目的、並びに特性及び利点は、以下の記述においてなされ、一部は本発明の記載から明らかであって、本発明の実施により教示される。記述において、本願の一部を形成し、本発明の実施をするための種々の実施形態を示す添付図面を参照する。実施形態は、当業者が本発明を実施することができる程度に詳細に記載されていて、他の実施形態を利用することもできるし、本発明の精神を逸脱しない限りにおいて構造的な変化をなすこともできることは理解されたい。したがって、以下の詳細な記述は、添付の請求の範囲によって最良に規定される本発明の精神を制限するものではない。
【図面の簡単な説明】
本明細書に組み込まれ、本明細書の一部を構成する添付図面は、本発明の種々の実施形態を示し、詳細な記述と共に本発明の理論を説明する。図面において、参照符号は、同様の部分に関して付されている。
図１は、店舗又は他のビジネス事業所からの販売物品の無許可の取り外しを検出するために用いる本発明の教示に従って構成されたデバイスの第１の実施形態の一部破断拡大正面図である。
図２は、図１に示すデバイスの右側面図である。
図３は、店舗又は他のビジネス事業所からの販売物品の無許可の取り外しを検出するために用いる本発明の教示に従って構成されたデバイスの第２の実施形態の一部破断拡大正面図である。
図４は、図３に示すデバイスの右側面図である。
好ましい実施形態の詳細な記述
さて、図１及び図２を参照すれば、店舗又は他のビジネス事業所で販売される物品を許可なく取り外したことを検出するために用いる本発明の教えに従って構成されたデバイスの第１の実施形態の正面図及び右側面図がそれぞれ示されている。デバイスは、概して参照符号１１で表わされている。
デバイス１１は、概して、織物ピースにタグを取り付けるために一般的に用いられるタイプのファスナー１３の形状である。ファスナー１３は、ポリプロピレン又はナイロンなどのプラスチック材料から構成され、慣用の成形加工技術を用いて製造されることが好ましい。ファスナー１３は、クロスバー１５を規定する第１の端部と、パドル１７を規定するように形状化されている第２の端部と、クロスバー１５及びパドル１７を相互連結するフィラメント１９と、を有する細長い一体成形部材を備える。クロスバー１５は、ほぼ、中空スロット付きニードルを有するタグガンを用いて、販売物品に施されるべき寸法及び形状である。パドル１７は、ほぼ、クロスバー１５が予め挿入されている販売物品から可撓性フィラメント１９が完全に引き抜かれないようになす寸法及び形状である。
デバイス１１は、さらに、ファスナー１３のクロスバー１５内に載置された盗難検出部材２１を含む。盗難検出部材２１は、磁石、磁化可能な材料の一つの細長いストリップ、小型の電気回路、無線周波数（ＲＦ）トランスミッタ／レシーバなどの活性化デバイスからなる。好ましい実施形態において、盗難検出部材２１は、本願に参照として組み込まれているMonteanの米国特許第４，７４５，４０１号明細書に開示されているタイプのＲＦ再活性化マーカーの形態である。Monteanの米国特許第４，７４５，４０１号明細書に開示されているタイプの無線周波数（ＲＦ）安全回路が非常に望ましい。なぜなら、ＲＦ回路の非常に薄い品質は、ＲＦ回路を容易にファスナー１３内に完全に配設可能だからである。
使用に際して、デバイス１１は、以下の態様において、盗難検出システム又は在庫品コントロールシステムの一部として機能する。公知の技術を用いて、盗難検出部材２１は、活性化されて無線周波数電磁場を発生する。次いで、ファスナー１３は、所望の販売物品にファスナー１３のクロスバー１５を挿入することによって、所望の販売物品に固着される。好ましくは、販売物品にファスナー１３のクロスバー１５を挿入するために、タグガンが用いられる。
典型的には、販売物品が置かれている部屋の出口に、磁場センサーが配置されている販売物品が磁場センサーを通過すると、センサーはデバイス１１の特性を検出するであろう。磁場センサーは、ファスナー１３の特定の磁場を検出すると、可視信号及び／又は音信号を発するであろう。物品が許可を得て取り外された場合など、センサーがアラームを活性化することを防止するために、このタイプのデバイス１１は、デバイス１１により発生する電磁場の代わりに、磁場センサーを誘発する大きな磁化デバイスを用いて不活性化され得る。
盗難検出部材２１は、図１及び図２においてファスナー１３のクロスバー１５内に載置されて示されているけれども、盗難検出部材２１は、フィラメント１９又はパドル１７などのファスナー１３の別の部分に配置されてもよいことに注意されたい。例えば、図３及び図４において、店舗又は他のビジネス事業所からの販売物品の許可を得ない取り外しを検出するために用いるデバイスの第２の実施形態が示されている。ここで、デバイスは、参照符号３１で示されている。デバイス３１は、盗難検出部材２１がファスナー１３のクロスバー１５ではなく、パドル１７内に載置されている点を除いて、デバイス１１と同様である。
上述の本発明の実施形態は、単に例示のためにだけに示されているもので、当業者であれば本発明の精神を逸脱しない限りにおいて多数の変形及び改変をなし得る。すべての変形及び改変は、添付の請求の範囲において規定されているような本発明の精神内に含まれるものである。
【図１】
0004259619.tif 000002
【図２】
0004259619.tif 000003
【図３】
0004259619.tif 000004
【図４】
0004259619.tif 000005